(57)【特許請求の範囲】
【請求項１】
温水洗浄装置付き便器の後部に設置されるロータンクの構造において、ロータンクの前面下部にその内部に向かって凹没した凹所を形成し、この凹所内に温水洗浄装置を収納可能にすると共に、ロータンク内の底面の排水口を開閉するための排水弁の上方に水平方向に邪魔板を配置し、ロータンク内の上部に配置される給水部の吐出口と上記排水弁とがほぼ垂直線上に配置されており且つ給水部の吐出口と上記排水弁との間の水路を上記邪魔板により水平方向に仕切るようにしたことを特徴とするロータンクの構造。
【請求項２】
水平方向の邪魔板の下方に垂直方向の邪魔板を設けたことを特徴とする請求項１記載のロータンクの構造。
【請求項３】
水平方向の邪魔板とロータンク壁との間に、排水弁の開放面に向かって水を送り込むための通水用隙間を設けたことを特徴とする請求項１記載のロータンクの構造。
【請求項４】
排水弁の開放動作時に、排水弁の開放面に向かって水を強制的に送り込むためのガイド水路を設けたことを特徴とする請求項１記載のロータンクの構造。
【請求項５】
水平方向の邪魔板における給水が当たる給水接触部の断面形状を上方に向かって凸となった略半球状に形成したことを特徴とする請求項１乃至請求項４のいずれかに記載のロータンクの構造。
【請求項６】
水平方向の邪魔板における給水が当たる給水接触部の周辺に切り溝を設けて、給水接触部を下方に向かって弾性変形可能としたことを特徴とする請求項１乃至請求項４のいずれかに記載のロータンクの構造。
【発明の詳細な説明】
【０００１】
【発明の属する技術分野】
本発明は、ロータンクの構造に関し、詳しくは温水洗浄装置付き便器と密結する構造を有したロータンクに関するものである。
【０００２】
【従来の技術】
従来、便器に温水洗浄装置を取り付ける場合、便器の後部に設置された既設のロータンクの前面側にロータンクと隣合うように温水洗浄装置を取り付けるようにしていた。図１３は従来の一般のロータンク３の内部構造を示している。図中の５ａは給水部５を構成するボールタップ、６は吐出口、７は排水口、８は排水弁、２０は洗浄レバー、Ｗは貯留水を示している。
【０００３】
しかし、ロータンクの前方に温水洗浄装置を設置するスペースを設けると、便器の前後方向の寸法が長くなり、このため便器とトイレルームの壁との距離が近い設置場所では便器を設置できなくなったり、また設置できたとしても便器と壁との距離が狭まり、特に、身体の不自由な人や高齢者等にとって使いづらくなる。
【０００４】
特に、将来介護などが必要になったことを想定して、あるいは実際に介護が必要であるために、トイレルーム内の介助スペースを求める要求が近年の市場の声としてよく聞かれ、且つ住宅品質確保促進法に基づく住宅性能表示制度でも介助スペースの大きさによって等級区分されている。そこで各メーカーは、限られたトイレルーム空間内に、より大きな介助スペースを設けることができるよう、便器の寸法を小さくした商品を開発している。
【０００５】
しかしながら、単に便器の寸法を小さくすると、便座の寸法が小さくなって座り心地が悪くなったり、ロータンクに背中があたることで不快感を感じたりすることがある。そこで、便座の寸法、ロータンクと便座とのピッチを変えずに、ロータンクの寸法を薄くする方向で商品化が進められているのが現状である。
【０００６】
ところが、例えばロータンク・温水洗浄機能・便器一体型とのシャワートレイにおいては、コンパクト化を達成するために、ほとんどのメーカーがロータンクを薄型にすることに加えて２重タンク方式として、内部のロータンクハウジング内部に貯留機能部・排水機能部・温水洗浄機能部などの中枢機能を集積するようにしている。そのため、各部品の取り合いに工夫が必要となるが、多くはロータンクの形状を変形させてその隙間にその他の部品を配置することで集積率をアップさせている。
【０００７】
【発明が解決しようとする課題】
また、ロータンクを変形させることは、タンク排水性能に大きな影響を与えることは明らかである。特に排水弁周囲のタンク形状がすぼまったり、あるいは排水弁の開く向きがロータンク壁に接近していると、排水弁が早締まりをしたり、あるいは不安定な開放動作をすることが実験的にも確認されている。つまり、排水弁の開放動作が妨げられると、ロータンクから便器内への排水流量が少量となり、洗浄効果が低下するという問題が生じる。
【０００８】
またロータンクのコンパクト化を重視するため、ロータンクヘの給水部（ボールタップ）と排水弁８とが同じ垂直線上に配置されることも考えられる。その一例を図１４に示す。図１４において図１３と同じ部位には同一符号を付しておく。図１４中の矢印イ，イ’は水の流れを示し、矢印ロは排水弁８の開閉方向を示している。この場合は条件によっては、給水圧力によって開いた排水弁８が強制的に閉じられてしまうことも確認されている。
【０００９】
更なるコンパクト化を達成するためには、ロータンク３の排水弁８の動作を安定的に動作させるようにすることが必須となる。各メーカーでは特殊な排水弁８の動作機構を新たに開発しているところもあるが、コスト面などで問題がある。
【００１０】
本発明は、上記の従来例の問題点に鑑みて発明したものであって、その目的とするところは、本発明では、現状の排水弁の動作機構をそのまま踏襲して、部品の共用化などを図りながら、ロータンク内の排水弁の開放動作を安定させることが可能なロータンクの構造を提供することにあり、更に他の目的とするところは、水平方向の邪魔板を設置した場合においてロータンク内部での水跳ねを最小限に抑えることができるロータンクの構造を提供することにある。
【００１１】
【課題を解決するための手段】
上記課題を解決するために本発明にあっては、温水洗浄装置２付き便器１の後部に設置されるロータンクの構造において、ロータンク３の前面下部にその内部に向かって凹没した凹所４を形成し、この凹所４内に温水洗浄装置２を収納可能にすると共に、ロータンク３内の底面の排水口７を開閉するための排水弁８の上方に水平方向Ａに邪魔板９を配置し、ロータンク３内の上部に配置される給水部５の吐出口６と上記排水弁８とがほぼ垂直線上に配置されており且つ給水部５の吐出口６と上記排水弁８との間の水路を上記邪魔板９により水平方向Ａに仕切るようにしたことを特徴としており、このように構成することで、ロータンク３の前面下部に凹設された凹所４に温水洗浄装置２を収納することで、温水洗浄装置２付き便器１の全長を短くできるようになる。一方、排水弁８の上方に水平方向Ａの邪魔板９を配置することによって給水部５の吐出口６と排水弁８との間の水路を仕切ることにより、ロータンク３の前面下部に設けた凹所４によって、ロータンク３下部の排水弁８周囲のタンク形状がすぼまり、給水部５からの給水圧力で排水弁８の安定開放が阻害されるのを水平方向Ａの邪魔板９によって防止できるようになり、排水弁８の開放動作の安定性を高めることができる。
【００１２】
また上記水平方向Ａの邪魔板９の下方に垂直方向Ｂの邪魔板１０を設けることを特徴とするのが好ましく、この場合、水平方向Ａの邪魔板９で方向が変えられた水流が排水弁８の背面８ａ側に当たるのを、さらに垂直方向Ｂの邪魔板１０によって防止できる。
【００１３】
また上記水平方向Ａの邪魔板９とロータンク壁３ａとの間に、排水弁８の開放面８ｂに向かって水を送り込むための通水用隙間１１を設けることを特徴とするのが好ましく、この場合、ロータンク３内の貯留水Ｗが排水される時に、この通水用隙間１１からも排水口７に向けて水が噴出するようになり、これによって、排水時に弁開放状態を持続する方向にアシストする力が排水弁８に加わる。
【００１４】
また上記排水弁８の開放動作時に、排水弁８の開放面８ｂに向かって水を強制的に送り込むためのガイド水路１２を設けることを特徴とするのが好ましく、この場合、排水弁８が開いた時にガイド水路１２を通った水が排水弁８の開放面８ｂに向かって噴射されることで、開放状態を持続させることができる。
【００１５】
また上記水平方向の邪魔板９の給水が当たる給水接触部５０の断面形状を上方に向かって凸となった略半球状に形成したことを特徴とするのが好ましく、この場合、水平部を有しない形状として、給水接触部５０を上方に向かって凸となった半球状の断面形状にしてあるので、上方に向かって水跳ねが起こりにくいものとなる。
【００１６】
また上記水平方向の邪魔板９の給水が当たる給水接触部５０の周辺に切り溝５１を設けて、給水接触部５０を下方に向かって弾性変形可能としたことを特徴とするのが好ましく、この場合、邪魔板９の給水接触部５０に切り溝５１を設けて板バネの特性を持たせるようにしたから、給水の衝撃によって板バネ状の給水接触部５０が下方に弾性変形して、衝撃を緩和することができると共に、下方に変形することで、水平面が生じないため、上方への水跳ねが起こりにくくなる。
【００１７】
【発明の実施の形態】
以下、本発明を添付図面に示す実施形態に基づいて説明する。
【００１８】
本実施形態の便器１の後部には、図２に示すように、温水洗浄装置２とロータンク３とが載設されている。温水洗浄装置２は、リザーブタンクやポンプにて構成される水供給部や温水タンク１３、洗浄ノズル１５、さらに消臭装置、乾燥装置、回路基板等の種々の部品（図示せず）が収納配置されており、水道等より供給された水が温水タンク１３にて暖められ、温水が洗浄ノズル１５より噴射されて洗浄されるようになっている。洗浄ノズル１５は人体臀部を温水で洗浄したりビデ洗浄するためのものであり、便蓋の開閉に邪魔にならない位置に便器１内部に向けて配置されている。
【００１９】
ロータンク３の前面下部には、図２、図３に示すように、ロータンク３内に向かって凹没した凹所４が形成されている。この凹所４内には上記温水洗浄装置２が収納され、温水洗浄装置２により便器１の全長寸法が長くなるのを防止している。なお凹所４の形状は図示されたものに限定されるものではなく、温水洗浄装置２の形状、大きさによって種々の形状が用いられるものである。なおロータンク３の底面に設けられる排水口７及び排水弁８の位置は従来と同様とする。
【００２０】
このロータンク３内の上部には、図２に示すように、給水管１６に接続されるボールタップ５ａが設けられており、ボールタップ５ａの吐出口６が下方に向けられている。ロータンク３の底面には図１に示す排水口７が設けられ、排水弁８によって開閉可能とされている。本例では、吐出口６と排水弁８とがほぼ垂直線上に配置されており、排水弁８及び排水口７の位置は従来と同じ位置に設けられている。なお、図１中の１７は排水口７に接続されるオーバーフロー管である。
【００２１】
上記排水弁８の軸部８ａは排水口７側に枢着され、排水弁８は上下方向に回転自在とされ、閉弁位置では開放面８ｂが排水口７の弁座に接触して排水口７を閉じている。またロータンク３の外部に設けた洗浄レバー２０を操作することにより鎖２１を介して排水弁８が引き上げられると、開放面８ｂが弁座から離れて排水口７を開放し、ロータンク３内の貯水が排水口７から便器１の排水路部（図示せず）に流出し、さらに便器１の上部外周に設けられたリム通水路（図示せず）から噴出して便器ボウル内を洗浄するようになっている。このとき、ロータンク３内の水面低下によりボールタップ５ａの浮玉が降下して内蔵する弁体の開閉作動がなされ、給水管１６からの水が吐出口６からロータンク３内に供給され、ロータンク３内の水位が所定レベルに達するまで給水が継続されるようになっている。
【００２２】
しかして、ロータンク３の前面下部に凹設された凹所４に温水洗浄装置２を嵌め込むようにして温水洗浄装置２を設置することで、温水洗浄装置２をロータンク３内に取り込むことができ、温水洗浄装置２付き便器１の全長を短くできる。従って、将来介護などが必要になったことを想定して、あるいは実際に介護が必要であるために、トイレルーム内の介助スペースを確保するにあたって、限られたトイレルーム空間内により大きな介助スペースを設けることができるようになる。しかも、ロータンク３と一体感を持たせて温水洗浄装置２を配置できるものであり、外観をまとまりのあるすっきりとしたものとすることができる。
【００２３】
ところで、ロータンク３に温水洗浄装置２を収納するための凹所４を設けると、ロータンク３の下部の排水弁８周囲のタンク形状がすぼまり、このためボールタップ５ａの吐出口６の下方に排水弁８が配置されていると、吐出口６からの給水圧力によって開いた排水弁８が強制的に閉じられてしまうという問題が生じる。そこで、本発明では、排水弁８を安定開放させる方策としては、(１)不安定動作を誘因している因子を取り除き、（２）排水弁８の開放状態を持続できるようアシストする力を加えるようにしている。この方策に基づく本発明の実施形態を以下説明する。
【００２４】
先ず、不安定動作の因子として考えられる給水圧力による影響を除去する方策を提示する。図１に示すように、給水圧力による強制閉止を防ぐため排水弁８の上方に水平方向Ａに邪魔板９を設け、直接ロータンク３ヘの給水が排水弁８にかからないようにした。この水平方向Ａの邪魔板９は、ボールタップ５ａの吐出口６からの水圧によって排水弁８の開放動作が妨げられるのを防止する働きをする。すなわち、上記のようにロータンク３に温水洗浄装置２を収納するための凹所４を設けることで温水洗浄装置２付き便器１の全長を短くした構造に加えて、ロータンク３内部に水平方向Ａの邪魔板９を設けて、ボールタップ５ａの吐出口６と排水弁８との間の水路を仕切ることによって、水の流れは図１の矢印ハ→ニ→ホの流れとなり、排水弁８の開放動作が給水圧力によって妨げられることがなくなり、また排水弁８の開く向きがロータンク壁３ａに接近していても、排水弁８が早締まりをしたり、あるいは不安定な開放動作をすることもなくなる。従って、排水弁８の開放動作の安定性を高めることができ、コンパクト化を目標とした便器１の商品化を実現できると共に、排水弁８も従来のものと共用化ができるため、部品点数の集約化を図ることができる。つまり現状の排水弁８の動作機構をそのまま踏襲して、部品の共用化などを図りながら、ロータンク３内の排水弁８の開放動作を安定させることが可能となる。
【００２５】
ところで、水平方向Ａの邪魔板９を設けることで排水弁８の開放時のタンク内部の水の流れは図１の矢印ハ→ニ→ホの流れとなるが、矢印ニの流れが排水弁８の背面８ａ側に当たることがあり、この場合、結果的に排水弁８を閉止する力が加わることになる。その力を弱めるため、図４に示すように、水流ニの流れを下向きに向ける形で、水平方向Ａの邪魔板９の先端から垂直方向Ｂに向けて邪魔板１０を設置するのが好ましい。なおこの場合において、垂直方向Ｂの邪魔板１０によって水流ニ→ホの流れが妨げられないようにするため、垂直方向Ｂの邪魔板１０の左右両側に通水用隙間（図示せず）を設け、さらに下方に通水用隙間３０を設けるのが望ましい。これにより、垂直方向Ｂの邪魔板１０によって水流が排水弁８の背面８ａ側に当たるのを防止しながら、排水流量を確保できるようになる。しかして排水弁８の開放動作を妨げるものをなくすことで、大流量にて水が流出されるようになり、便器１に洗浄効果を一層高めることができる。なお、垂直方向Ｂの邪魔板１０と水平方向Ａの邪魔板９との継ぎ目には、排水弁８開放時への影響を少なくするため、隙間が無いことが望ましい。
【００２６】
次に排水弁８の開放状態へのアシスト力を増やす方策として、図５〜図７の実施形態を説明する。図５は水平方向Ａの邪魔板９において、ロータンク壁３ａと邪魔板９との間に、排水弁の開放面に向かって水を送り込むための通水用隙間１１を設けた場合を示している。この通水用隙間１１は排水弁８の開放面８ｂに最も近い位置に設けてあり、ロータンク３内の貯留水が排水される時に、水の流れは図５の矢印ハ→ニ→ホの流れに加えて、矢印ヘ→トの流れも加わり、通水用隙間１１からも排水口７に向けて水を噴出させることができる。これによって、排水時に弁開放状態を持続する方向にアシストする力が排水弁８に加わり、安定動作が行われるようになる。
【００２７】
同じように弁開放状態へのアシスト力を増やすための方策として、図６、図７は排水弁８の開放動作時に、排水弁８の開放面８ｂに向かって水を強制的に送り込むためのガイド水路１２を設けた場合を示している。図６の例ではガイド水路１２の入口が水平方向Ａの邪魔板９と面一とされ、水の流れは矢印ハ→ニ→ホの流れに加えて、矢印ヘ→トの流れとなる。また図７の例ではガイド水路１２の入口が水平方向Ａの邪魔板９よりも上方に突出した構造とされ、水の流れは矢印ハ→ニ→ホの流れに加えて、矢印チ→トの流れとなる。いずれの場合も排水弁８が開いた時にガイド水路１２を通った水が矢印トのように排水弁８の開放面８ｂに向かって噴射されることで、開放状態を持続させることができ、排水弁８の安定動作を図ることができるものである。なお、ガイド水路１２からの水の噴射方式としては、（１）貯留水が排水されるときの水流を用いる方法、（２）ボールタップ５ａからの給水を用いる方法、（３）ポンブなどによる加給水を用いる方法などが挙げられる。
【００２８】
ところで、給水衝撃による排水弁動作への影響をカットするために水平方向に邪魔板９を設けた場合、高水圧区域になると給水の衝撃が大きいため、給水が邪魔板９に当たった時の水跳ねが大きくなる可能性がある。水跳ねがロータンク３内部で生じると、ロータンク３の蓋内側に水滴が付着して、カビの発生あるいは蓋を外す時に水垂れの原因となる。
【００２９】
邪魔板９での水跳ねを防止する方策として、（１）給水が邪魔板９に当たった後、跳ね返りが上方に行かないよう、邪魔板９の断面形状を工夫する第１の水跳ね防止構造と、（２）給水が邪魔板９に当たったときの衝撃を緩和されるよう、邪魔板９を加工する第２の水跳ね防止構造とを以下説明する。
【００３０】
先ず、第１の水跳ね防止構造として、ロータンク３内部での水跳ねを最小限に抑えることができるようにした邪魔板９の形状を図８〜図１０に示す。なお図９中の５５はオーバーフロー管に連通するように立設されたダグラスバルブ、６０はパッキン、６１は下ケース、６２は締め付けナットである。また、ロータンク３の凹所４によってロータンク３内部に生じる段部３ｂを利用して邪魔板９の一端部がネジ止めされており、邪魔板９にはネジ６４が挿通するダルマ穴状のネジ挿通孔６３が設けられている。他の構成は図１、図２の実施形態と同様であり、対応する部分には同一符号を付して詳しい説明は省略する。また邪魔板９により給水部５からの給水圧力で排水弁８の安定開放が阻害されるのを防止できる点、さらに垂直方向の邪魔板１０（図４）、ガイド水路１２（図７）等を設けてもよい点は、前記実施形態と同様であり、異なる点だけを述べる。本例では水跳ね方向（図１０（ｂ）の矢印イ、ロ方向）をコントロールするため、邪魔板９における給水が当たる部分（以下、給水接触部５０という。）の上面形状が平面となっていない。ちなみに、例えば紙やすりのようにミクロ的に凹凸形状にしても、マクロ的に見て水平ならば、水平平面の場合と同等の水跳ね性を有することが実験にて確認されている。そこで、本例では、水平部としない方法として、給水接触部５０に上方に向かって凸となった半球状の断面形状の突部５０ａを突設させている。このような半球状の突部５０ａならばその頂点のみに僅かな水平面が生じるが、それ以外のほとんどの部分では水平ではないため、水の流れは図１０（ｂ）の矢印で示すイ，ロ’の方向となり、上方に向かって水跳ねが起こりにくいものとなる。しかも、突部５０ａの断面形状を半球状に形成すればよいので、部品点数を増加させることがなく、簡単な構造で水跳ね防止効果が得られる。なお、半球状の突部５０ａは、水平方向の邪魔板９と一体形成されている場合に限らず、例えば、邪魔板９とは別部品の半球状部材（突部５０ａ）を邪魔板９の平面状をした給水接触部５０の上面に取り付けるようにしてもよいものである。
【００３１】
次に第２の水跳ね防止構造として、給水接触部５０の周囲に切り溝５１を入れて、平板からなる給水接触部５０を下方に向かって弾性変形可能とした例を図１１（ａ）、（ｂ）に示す。図１１（ａ）は邪魔板９の端縁から給水接触部５０の両側に沿わせて平行な２条の切り溝５１を入れて、切り溝５１間の給水接触部５０を板バネ状の板部５０ｂを形成した場合を示しており、図１１（ｂ）は給水接触部５０の周囲３辺に切り溝５１を入れて、給水接触部５０を残りの一辺に沿って下方に折り曲げて板バネ状の板部５０ｂを形成した場合を示している。しかして、邪魔板９の給水接触部５０に切り溝５１を設けて板バネの特性を持つ板部５０ｂを形成したので、給水の衝撃によって板部５０ｂは下方（図１１（ｂ）の矢印ハで示す方向）に弾性変形して、衝撃を緩和する。また下方に変形することで、上方への水跳ねが起こりにくくなる。しかも、邪魔板９の一部に切り溝５１を入れるだけでよいので、部品点数を増加させることがなく、簡単な構造で水跳ね防止効果が得られるものである。
【００３２】
図１２は給水接触部５０に上方に向かって凸となった半球状の突部５０ａを形成し且つこの突部５０ａの周囲に切り溝５１を入れて下方に撓むことができるようにした場合を示している。しかして、上記半球状による水跳ね防止構造と板バネ状の水跳ね防止構造とを併用することで、水洗便器と密結する構造を有したコンパクト形のロータンク３であってその内部に水平方向の邪魔板９を収納したものにおいて、給水時の水跳ねを効果的に防止することができ、衝撃音の低減に加えて、ロータンク３の蓋内側に水滴が付着して、カビの発生あるいは蓋を外す時に水垂れが発生するという問題も同時に解消されるものである。また、図１０と図１１（ａ）（或いは図１０と図１１（ｂ））の２種類の水跳ね防止構造を組み合わせることで、より一層の水跳ね防止効果が得られるようになる。
【００３３】
【発明の効果】
上述のように請求項１記載の発明にあっては、温水洗浄装置付き便器の後部に設置されるロータンクの構造において、ロータンクの前面下部にその内部に向かって凹没した凹所を形成し、この凹所内に温水洗浄装置を収納可能にすると共に、ロータンク内の底面の排水口を開閉するための排水弁の上方に水平方向に邪魔板を配置し、ロータンク内の上部に配置される給水部の吐出口と上記排水弁とがほぼ垂直線上に配置されており且つ給水部の吐出口と上記排水弁との間の水路を上記邪魔板により水平方向に仕切るようにしたので、ロータンクの前面下部に凹設された凹所に温水洗浄装置を収納することで、温水洗浄装置付き便器の全長を短くできる。従って、便器と壁との距離が近い設置場所であっても便器の設置ができると共に、ロータンクと一体感を持たせて温水洗浄装置を配置でき、外観が向上する。また凹所によって排水弁周囲のタンク形状がすぼまると、給水部からの給水圧力で排水弁の安定開放が阻害されるが、排水弁の上方に水平方向の邪魔板を配置することによってこれを防止できるようになり、従って、排水弁の開放動作を妨げるものがなくなり、ロータンクから排水するための排水弁の開放動作の安定性を高めることができ、コンパクト化を目標とした水洗便器の商品化を実現できると共に、排水弁も従来のものと共用化ができるため、部品点数の集約化を図ることができる。つまり現状の排水弁の動作機構をそのまま踏襲して、部品の共用化などを図りながら、ロータンク内の排水弁の開放動作を安定させることが可能となる。
【００３４】
また請求項２記載の発明は、請求項１記載の効果に加えて、水平方向の邪魔板の下方に垂直方向の邪魔板を設けたので、水平方向の邪魔板で方向が変えられた水流が排水弁の背面側に当たるのを、垂直方向の邪魔板によって防止でき、排水弁の開放動作を妨げるものを一層なくすことができる。
【００３５】
また請求項３記載の発明は、請求項１記載の効果に加えて、水平方向の邪魔板とロータンク壁との間に排水弁の開放面に向かって水を送り込むための通水用隙間を設けたので、ロータンク内の貯留水が排水される時に、この通水用隙間からも排水口に向けて水が噴出するようになり、これによって、排水時に弁開放状態を持続する方向にアシストする力が排水弁に加わり、安定動作が行われるようになる。
【００３６】
また請求項４記載の発明は、請求項１記載の効果に加えて、排水弁の開放動作時に、排水弁の開放面に向かって水を強制的に送り込むためのガイド水路を設けたので、排水弁が開いた時にガイド水路を通った水が排水弁の開放面に向かって噴射されることで、開放状態を持続させることができ、排水弁の開放動作を一層安定化させることができる。
【００３７】
また請求項５記載の発明は、請求項１乃至請求項４のいずれかに記載の効果に加えて、水平方向の邪魔板における給水が当たる給水接触部の断面形状を上方に向かって凸となった略半球状に形成したので、つまり、水平部を有しない形状として、給水接触部を上方に向かって凸となった半球状の断面形状にしてあるので、上方に向かって水跳ねが起こりにくいものとなる。しかも、給水接触部の断面形状を半球状に形成すればよいので、部品点数を増加させることがなく、簡単な構造で水跳ね防止効果が得られる。この結果、便器と密結する構造を有したコンパクト形のロータンクであってその内部に水平方向の邪魔板を収納したものにおいて、給水時の水跳ねを効果的に防いで衝撃音を低減できると共に、ロータンクの蓋内側に水滴が付着して、カビの発生あるいは蓋を外す時に水垂れが発生するという問題も同時に解消できるものである。
【００３８】
また請求項６記載の発明は、請求項１乃至請求項４のいずれかに記載の効果に加えて、水平方向の邪魔板における給水が当たる給水接触部の周辺に切り溝を設けて、給水接触部を下方に向かって弾性変形可能としたので、つまり、邪魔板の給水接触部に切り溝を設けて板バネの特性を持たせるようにしたから、給水の衝撃によって板バネ状の給水接触部が下方に弾性変形して、衝撃を緩和することができると共に、下方に変形することで、水平面が生じないため、上方への水跳ねが起こりにくくなる。しかも、邪魔板の一部に切り溝を入れるだけでよいので、部品点数を増加させることがなく、簡単な構造で水跳ね防止効果が得られる。この結果、便器と密結する構造を有したコンパクト形のロータンクであってその内部に水平方向の邪魔板を収納したものにおいて、給水時の水跳ねを効果的に防いで衝撃音を低減できると共に、ロータンクの蓋内側に水滴が付着して、カビの発生あるいは蓋を外す時に水垂れが発生するという問題も同時に解消できるものである。
【図面の簡単な説明】
【図１】  本発明の実施形態の一例を示す側面断面図である。
【図２】  同上のロータンクの凹所に温水洗浄装置を収納した状態を説明する正面断面図である。
【図３】  （ａ）は同上のロータンクの斜視図、（ｂ）は底面図、（ｃ）は正面図、（ｄ）は側面図である。
【図４】  本発明の他の実施形態の側面断面図である。
【図５】  本発明の更に他の実施形態の側面断面図である。
【図６】  本発明の更に他の実施形態の側面断面図である。
【図７】  本発明の更に他の実施形態の側面断面図である。
【図８】  本発明の更に他の実施形態の平面断面図である。
【図９】  同上の側面断面図である。
【図１０】  （ａ）は同上の邪魔板の平面図、（ｂ）は（ａ）のＮ−Ｎ線に沿う断面図である。
【図１１】  （ａ）は同上の邪魔板の他例の平面図、（ｂ）は更に他例の斜視図である。
【図１２】  本発明の更に他の実施形態の平面図である。
【図１３】  従来のロータンクの内部構造の説明図である。
【図１４】  ロータンクに凹所を設けた場合の排水弁に給水圧力がかかる場合を説明する参考図である。
【符号の説明】
１  便器
２  温水洗浄装置
３  ロータンク
３ａ  ロータンク壁
４  凹所
５  給水部
６  吐出口
７  排水口
８  排水弁
８ａ  背面
８ｂ  開放面
９  水平方向の邪魔板
１０  垂直方向の邪魔板
１１  通水用隙間
１２  ガイド水路
５０  給水接触部
５１  切り溝
Ａ  水平方向
Ｂ  垂直方向
【図１】
0004177576.tif 000002
【図２】
0004177576.tif 000003
【図３】
0004177576.tif 000004
【図４】
0004177576.tif 000005
【図５】
0004177576.tif 000006
【図６】
0004177576.tif 000007
【図７】
0004177576.tif 000008
【図８】
0004177576.tif 000009
【図９】
0004177576.tif 000010
【図１０】
0004177576.tif 000011
【図１１】
0004177576.tif 000012
【図１２】
0004177576.tif 000013
【図１３】
0004177576.tif 000014
【図１４】
0004177576.tif 000015